(57)【要約】【課題】予め設定した時刻に、指定した相手に対して自動的に発呼する機能をもった携帯電話において、相手先の電話番号と発呼時刻を予め設定登録しておけば、当該時刻になれば自動的に相手先に電話して、モーニング・コール等を行い、相手が発する声を感知して起床を確実とし、連絡要件を残すこともできる携帯電話を提供する。【解決手段】表示手段、記憶手段及び時間管理手段等を搭載した携帯電話機本体に、予め定められた時刻に、予め設定された相手方電話番号を自動的に読み出して発呼する手段を設け、必要に応じて音声レベル判定手段を設けてもよい。【選択図】  図２
2006054835.tif 000002
【特許請求の範囲】
【請求項１】
表示手段、操作手段、記憶手段、時間管理手段、サウンダ及び制御手段を搭載した携帯電話において、予め設定された電話番号を自動的に呼び出すことができる自動発呼手段と、該自動発呼手段を設定された時刻に起動する起動手段、及び上記自動発呼に失敗した場合に一定時間の間隔をおいて再試行を行うリダイヤル手段とを備えたことを特長とする携帯電話。
【請求項２】
発呼相手からのメッセージが特定の音声レベルに達したか判断する音声レベル判定手段を備えたことを特徴とする請求項１記載の携帯電話。
【請求項３】
前記音声レベル判定手段が一定の音声レベルに達した場合に事前に準備されたメールを相手に発信する送信手段を備えたことを特徴とする請求項２記載の携帯電話。
【発明の詳細な説明】
【技術分野】
【０００１】  本発明は、タイマー自動発呼機能を備えた携帯電話、特に、相手の起床を確実かつ指示事項を確実に伝達することが可能な携帯電話に関するものである。
【背景技術】
【０００２】  現状の携帯電話では、例えば相手を起こすためのモーニング・コールをする場合、自分の携帯電話のアラーム機能を利用して自分で起きた後、相手にモーニング・コールをする必要がある。
また、特許文献１には、予め設定された時刻に、指定した相手に対して自動的に発呼する機能を有することを特徴とするタイマー自動発呼機能付き電話機及び分離型発呼予告通知装置が開示されている。
さらに、特許文献２には、連絡先の電話番号と連絡時刻を予め設定登録しておけば、連絡時刻になれば、自動的に報知ベルを鳴動して連絡先の電話番号を教えてくれる機能を付加したことを特徴とする連絡スケジュール登録報知機能を有した電話機が開示されている。
特許文献３では、無線通信ネット・ワークに依存することなく、音声を録音、格納および／または転送することができることを特徴とする録音音声転送機能を有する携帯電話が知られている。
【特許文献１】  特開２００２−３２５１１８号公報
【特許文献２】  特開平５−４１７３４号公報
【特許文献３】  特開２００４−８８７６２号公報
【発明の開示】
【発明が解決しようとする課題】
【０００３】  前記背景技術では、相手を極端に早い時間に起こしたり、複数いたりすると自分自身の時間が有効に利用出来ないことがある。
こういった場合、上述技術をモーニング・コールで活用する場合、相手が覚醒状態で受けても、寝ぼけて受けても、モーニング・コールに出たことには変わらず、結局寝てしまったり、何のために起こされたのかが分からなくなったりする恐れがある。
そこで、本発明は前述の問題点を解決し、簡易な構成で相手の起床を確実にし、かつ、行動内容を伝達することができる携帯電話を提供するものである。
【課題を解決するための手段】
【０００４】  請求項１の携帯電話は、表示手段、操作手段、記憶手段、時間管理手段、サウンダ及び制御手段を搭載し、予め設定された電話番号を自動的に呼び出すことができる自動発呼手段と、該自動発呼手段を設定された時刻に起動する起動手段、及び上記自動発呼に失敗した場合に一定時間の間隔をおいて再試行を行うリダイヤル手段とを備えている。
請求項２の携帯電話は、請求項１の携帯電話に発呼相手からのメッセージが特定の音声レベルに達したか判断する音声レベル判定手段を備えている。
請求項３の携帯電話は、請求項２の携帯電話に前記音声レベル判定手段が一定の音声レベルに達した場合に事前に準備されたメールを相手に送信する手段を備えている。
【発明の効果】
【０００５】  請求項１の発明は、予め設定された電話番号を自動的に呼び出すことができ、自動発呼に失敗した場合に一定時間の間隔をおいて再試行を行うリダイヤル手段を備えているので、相手を極端に早い時間に起こす場合にも負担が少なくなる。
請求項２の発明は、発呼相手からのメッセージが特定の音声レベルに達したか判断するので、相手が寝ぼけた声で受けて、結局寝てしまうのを防止することができる。
請求項３の発明は、一定の音声レベルに達した場合に事前に準備されたメールを相手に発信するので、行動計画等を確実に伝達することができる。
【発明を実施するための最良の形態】
【０００６】  請求項１乃至３の発明を含む図１乃至３を用いて、本発明の実施の形態についてモーニング・コールを例として説明する。
図１はモーニング・コール設定処理のフロー・チャート、図２はモーニング・コール起動時のフロー・チャート、図３は本発明の携帯電話の主要構成を示すブロック図である。【０００７】  請求項１乃至３の携帯電話は図３に示すように、液晶パネル等から成る表示部４、押しボタンまたはタッチ・パネル等から成る操作部５、半導体ＲＡＭ等から成る記憶部６、タイマ機能を有する時間管理部７、呼び出し音等を合成するサウンダ８及びＣＰＵ等の制御部３を有し、これらのデータを無線部２、アンテナ１を介してやり取りするものである。【０００８】  請求項１乃至３の発明を起動させるには、モーニング・コール設定処理を例にとると図１に示すフロー・チャートのようになる。
操作部５を通してモーニング・コール設定を選択すると、まず、相手先電話番号入力１０１をし、続いて、同時期に同じメッセージで異なる相手先を発呼する場合は、同時期発呼１０２でＹｅｓを選択し、異なる場合はＮｏを選択する。
次に、メッセージを録音（メール入力可としてもよい）する場合は、メッセージ録音（入力）１０３でＹｅｓを選択し、表示部４，操作部５，サウンダ８等を用いてメッセージ録音（入力）１０４を行い、異なる場合はＮｏを選択する。
続いて、月日時入力１０５を行いその情報は記憶部６へ格納される。なお、月日時入力は、その名称に限らず、毎週の曜日設定や毎月設定としてもよい。
続いて、リダイヤル回数入力１０６にて２乃至３回等を入力する。これは、次の起動時の効果との関連で後述する。１０６を以って設定作業が終了する。【０００９】  請求項１乃至３の発明の起動時の工程を、モーニング・コール起動時の設定処理を例にとると図２に示すフロー・チャートのようになる。
記憶部６の内容を制御部３を介して時間管理部７で照合し、設定時刻２０１かを判断し、時刻が来ると記憶部６の相手先発呼２０２する。
続いて、相手先がとったか２０３どうかを判断し、取らない場合はリダイヤル回数カウント４０２へ、取った場合は記憶部６に蓄えられたメッセージ送信２０４を行う。
続いて、「もしもし」，「はい」，「うん」等の何らかの音声信号として相手メッセージを得たか２０５判断し、得ない場合はタイマーカウント４０１へ、得た場合は経験的に設定された長さ、音量に対してある音声レベルに達したか２０６判断し、達しない場合は同じくタイマーカウント４０１へ、達した場合は送信メール有か２０８判断し、有る場合はメール送信起動３０１し相手先へメールを配信し、続いて、無い場合と同様２以上の相手先有か判断し、無い場合は終了し、有りの場合は相手先発呼２０２へ移行する。【００１０】  先に記述したタイマーカウント４０１はリ・ダイヤル間隔を本文では省略した初期値または別途入力で設定してある。
また、リダイヤル回数カウント４０２は言葉の通りで、図１のリダイヤル回数入力１０６の回数である。回数に達したか４０３では、達しない場合は相手先発呼２０２へ、達した場合は目覚まし機能起動４０４により、発信者を起こし、別の行動を促し対応させることができる。
【図面の簡単な説明】
【００１１】
【図１】  本発明のモーニング・コール設定処理のフローチャートである。
【図２】  本発明のモーニング・コール起動時のフローチャートである。
【図３】  本発明の携帯電話機の主要構成を示すブロック図である。
【符号の説明】
【００１２】１    アンテナ
２    無線部
３    制御部
４    表示部
５    操作部
６    記憶部
７    時間管理部
８    サウンダ
【図１】
2006054835.tif 000003
【図２】
2006054835.tif 000004
【図３】
2006054835.tif 000005